(57)【要約】  ワイヤハーネス（１６）に接続される電子部材（１４）を保護するための熱スリーブ、それを備えるアセンブリ、および構築方法が提供される。熱スリーブ（１２）は、略円筒形状部と、両開放端部間に長手方向中心軸に沿って延在する外面とを有する、管状のヒートセット可能な不織内層（２６）を含む。反射外層（２８）は、外面の周りに配置される。ヒートセット可能な不織内層の少なくとも１つの指状部（３４）は、略円筒形状部から径方向内側に延在する。少なくとも１つの指状部材（３４）は、ヒートセットされてその上に外側から力を加えることなく径方向内側に延在されたままとなる。少なくとも１つの指状部は、ワイヤハーネス（１６）を収容するための大きさの開口部を取り囲む自由端部（９９）を有する。
2018523455.tif 000002
【特許請求の範囲】
【請求項１】
ワイヤハーネスに接続される電子部材を保護するための熱スリーブであって、
略円筒形状部と、両開放端部間で長手方向中心軸に沿って延在する外面とを有する管状のヒートセット可能な不織内層と、
前記外面の周りに配置される反射外層と、
前記略円筒形状部から径方向内側に延在する前記ヒートセット可能な不織内層の少なくとも１つの指状部とを備え、前記少なくとも１つの指状部は、ヒートセットされてその上に外側から力を加えることなく径方向内側に延びたままとなり、前記ワイヤハーネスの収容のための大きさの開口部を取り囲む自由端部を有する、熱スリーブ。
【請求項２】
前記少なくとも１つの指状部は、複数の指状部である、請求項１に記載の熱スリーブ。
【請求項３】
前記反射外層は、前記外面の周りに螺旋巻きされる、請求項１に記載の熱スリーブ。
【請求項４】
前記反射外層は、前記外面の周りにたばこ巻きされる、請求項１に記載の熱スリーブ。
【請求項５】
前記反射外層は、前記外面に接着される、請求項１に記載の熱スリーブ。
【請求項６】
前記反射外層は、前記少なくとも１つの指状部にわたって延在する、請求項１に記載の熱スリーブ。
【請求項７】
前記少なくとも１つの指状部の前記不織層上の固化された樹脂材料をさらに含む、請求項１に記載の熱スリーブ。
【請求項８】
前記少なくとも１つの指状部の前記不織層に接着される材料の硬化層をさらに含み、前記不織層は、前記反射外層と前記材料の硬化層との間に挟まれる、請求項１に記載の熱スリーブ。
【請求項９】
前記材料の硬化層はプラスチックである、請求項８に記載の熱スリーブ。
【請求項１０】
前記少なくとも１つの指状部は複数の指状部を含み、前記材料の硬化層は前記指状部間の空間と位置合わせされる複数の切り込みを有する、請求項８に記載の熱スリーブ。
【請求項１１】
前記少なくとも１つの指状部は、複数の重なって折り畳まれる領域を有する、請求項１に記載の熱スリーブ。
【請求項１２】
ワイヤハーネスと、
前記ワイヤハーネスの周りの長手方向中心軸に沿った略円筒形状部を有し、両開放端部間で延在する外面を有する、管状のヒートセット可能な不織層と、
前記外面の周りに配置される反射外層と、
前記略円筒形状部から径方向内側に延在する前記ヒートセット可能な不織内層の少なくとも１つの指状部とを備え、前記少なくとも１つの指状部は、ヒートセットされてその上に外側から力を加えることなく径方向内側に延在することを維持し、前記ワイヤハーネスの収容のための大きさの開口部を取り囲む自由端部を有する、熱スリーブ。
【請求項１３】
前記少なくとも１つの指状部は、前記ワイヤハーネスの外面と係合する、請求項１２に記載の熱スリーブ。
【請求項１４】
前記ワイヤハーネスは、山部と谷部とを含む廻旋形状の外面と、前記谷部の１つを収容するための大きさの前記少なくとも１つの指状部とを有する、請求項１２に記載の熱スリーブ。
【請求項１５】
前記少なくとも１つの指状部は、前記谷部の共通の１つに同時に収容されるための大きさの複数の指状部を含む、請求項１４に記載の熱スリーブ。
【請求項１６】
前記少なくとも１つの指状部の前記不織層上に固化された樹脂材料をさらに含む、請求項１２に記載の熱スリーブ。
【請求項１７】
前記少なくとも１つの指状部の前記不織層に当接する材料の硬化層をさらに含み、前記不織層は、前記反射外層と前記材料の硬化層との間に挟まれる、請求項１２に記載の熱スリーブ。
【請求項１８】
前記少なくとも１つの指状部は、複数の重なる折り畳まれた領域を有する、請求項１２に記載の熱スリーブ。
【請求項１９】
ワイヤハーネスに接続される電子部材を保護するためのスリーブの構築方法であって、
略円筒形状部と両開放端部間で長手方向中心軸に沿って延在する外面とを有する管状のヒートセット可能な不織内層を形成することと、
前記外面の周りに反射外層を固定することと、
前記ヒートセット可能な不織内層の少なくとも１つの指状部をヒートセットして前記略円筒形状部から径方向内側に延ばすとともに、その中の締り嵌めで前記ワイヤハーネスを収容するために前記少なくとも１つの指状部の自由端部で開口部を確立することを含む、方法。
【請求項２０】
複数の前記少なくとも１つの指状部を形成することをさらに含む、請求項１９に記載の方法。
【請求項２１】
ヒートセット工程の後に前記複数の指状部を形成することをさらに含む、請求項２０に記載の方法。
【請求項２２】
ヒートセット工程の前に前記複数の指状部を形成することをさらに含む、請求項２０に記載の方法。
【請求項２３】
前記少なくとも１つの指状部をヒートセットした後に前記開口部を確立することをさらに含む、請求項１９に記載の方法。
【請求項２４】
前記少なくとも１つの指状部の前記ヒートセット可能な不織内層上に樹脂層を配置することをさらに含む、請求項１９に記載の方法。
【請求項２５】
前記少なくとも１つの指状部の前記不織内層を前記反射外層と材料の内側硬化層との間に挟むことをさらに含む、請求項１９に記載の方法。
【請求項２６】
前記少なくとも１つの指状部と略同一の形状を有する前記材料の内側硬化層を形成することをさらに含む、請求項２５に記載の方法。
【請求項２７】
前記材料の内側硬化層をプラスチックから形成することをさらに含む、請求項２５に記載の方法。
【発明の詳細な説明】
【技術分野】
【０００１】
関連出願の相互参照
この出願は、２０１５年７月６日に提出された米国仮出願第６２／１８９，０９７号および２０１６年７月５日に提出された米国出願第１５／２０２，１３２号の利益を主張し、参照によりその内容全体がここに組み込まれる。
【０００２】
本発明の背景
１．技術分野
この発明は、一般的に、その中に収容される電子物体に対する熱的保護を提供する管状スリーブアセンブリに関し、より特定的には、アセンブリをその中に収容される電子物体の周りに選択的に解放可能かつ固定された位置に維持するための配置部材を含む管状スリーブアセンブリに関する。
【背景技術】
【０００３】
２．関連技術
エンジンの動作および性能を制御するためにデータを送る酸素センサなどの、自動車用途で用いられるセンサは、自動車の動作中の急激な放射熱、摩耗源および振動を含む過酷な環境要素を受ける自動車のエンジン部材内にしばしば設置される。過酷な環境要素に起因して、振動を減衰し、摩耗に対する保護を提供し、および放射熱がセンサに達するのを防ぐために、比較的繊細で温度に敏感なセンサを保護スリーブで被覆することが有利となり、多くの場合要求される。このようなスリーブは、一般的に、両開口端部間に延在する細長い円筒形状の管を備える。円筒形状の管は、たとえばポリエステルフェルトの不織材料の減衰性内層と、たとえば内層の外面に積層されるアルミ箔層を含む反射外層とを備える。
【発明の概要】
【発明が解決しようとする課題】
【０００４】
前述の保護円筒形状スリーブの構成およびその過酷環境のために、センサを機能させるために容易に移動可能であると同時に、スリーブが所望の位置に容易に確保され維持されることを可能にする態様で、センサの周りにスリーブを組み立てることは、典型的には困難である。接着剤、テープ、およびスリーブの円筒形状壁部の内面全体の締り嵌めが取付けを有効にするために用いられるが、これらの機構のそれぞれは、様々な不都合を被る。しっかり固定した間、少なくとも初めのうち一時的には、センサの周りへのスリーブの接着剤の付着はスリーブをセンサに取り付けるため、将来的にセンサを機能させることを複雑にし、加えて、接着剤が時間が経つにつれて劣化することにより、スリーブがセンサの周りのその所望の保護位置から移動させられる。その結果、その初めの接着位置においては概ね効果的である一方、この方法は、接着剤の接着継手を崩壊させることを要求するため、センサの機能のためのスリーブの容易な除去またはスリーブの再利用を可能としない。加えて、テープおよび締り嵌めは、エンジン部品内で直面する熱および振動の観点から信頼できず、テープがさらに部分的に取付けの負担となり、干渉が大きすぎる場合、またはスリーブがたとえばコネクタなどのアセンブリの経路に沿った増加した直径の障害物を横切ることが必要である場合、スリーブ内面の全体の摩擦嵌めは部品交差の変化および組立の困難性に悩まされる。
【課題を解決するための手段】
【０００５】
本発明の概要
本発明の１つの局面に従えば、ワイヤハーネスに接続される電子部材を保護するための熱スリーブが提供される。熱スリーブは、略円筒形状部と、両開口端部間で長手方向中心軸に沿って延在する外面とを有する管状のヒートセット可能な不織内層を含む。反射外層は、外面の周りに配置される。ヒートセット可能な不織内層の少なくとも１つの指状部は、略円筒形状部から径方向内側に延在する。少なくとも１つの指状部は、ヒートセットされてその上に外側から力を加えることなく径方向内側に延びたままとなる。少なくとも１つの指状部は、ワイヤハーネスを収容するための大きさの開口部を取り囲む自由端部を有する。
【０００６】
本発明の別の局面に従えば、少なくとも１つの指状部は、複数の指状部を含む。
本発明の別の局面に従えば、反射外層は、外面の周りに螺旋巻きされてもよい。
【０００７】
本発明の別の局面に従えば、反射外層は、外面の周りにたばこ巻きされてもよい。
本発明の別の局面に従えば、反射外層は、外面に接着されていてもよい。
【０００８】
本発明の別の局面に従えば、反射外層は、少なくとも１つの指状部にわたって延在する。
【０００９】
本発明の別の局面に従えば、固化された樹脂材料は、少なくとも１つの指状部の不織層上に配置されてもよい。
【００１０】
本発明の別の局面に従えば、材料の硬化層は、少なくとも１つの指状部の不織層に接着されてもよく、不織層は、反射外層と材料の硬化層との間に挟まれる。
【００１１】
本発明の別の局面に従えば、材料の硬化層は、プラスチックで形成されてもよい。
本発明の別の局面に従えば、少なくとも１つの指状部は複数の指状部を含んでもよく、材料の硬化層は指状部間の空間と位置合わせ複数の切り込みを有して形成されてもよい。
【００１２】
本発明の別の局面に従えば、少なくとも１つの指状部は、複数の重なって折り畳まれる領域を有する単一の指状部として設けられてもよい。
【００１３】
本発明の別の局面に従えば、ワイヤハーネスに接続される電子部材を保護するためのスリーブの構築方法が提供される。当該方法は、略円筒形状部と両開放端部間で長手方向中心軸に沿って延在する外面とを有する管状のヒートセット可能な不織内層を形成することと、外面の周りに反射外層を固定することと、ヒートセット可能な不織内層の少なくとも１つの指状部をヒートセットして円筒形状部から径方向内側に延ばすとともに、その中の締り嵌めでワイヤハーネスを収容するために少なくとも１つの指状部の自由端部で開口部を確立することとを含む。
【００１４】
本発明の別の局面に従えば、当該方法はさらに、複数の少なくとも１つの指状部を形成することを含んでもよい。
【００１５】
本発明の別の局面に従えば、当該方法はさらに、ヒートセット工程の後に複数の指状部を形成することを含んでもよい。
【００１６】
本発明の別の局面に従えば、当該方法はさらに、ヒートセット工程の前に複数の指状部を形成することを含んでもよい。
【００１７】
本発明の別の局面に従えば、当該方法はさらに、少なくとも１つの指状部をヒートセットした後に開口部を確立することを含んでもよい。
【００１８】
本発明の別の局面に従えば、当該方法はさらに、少なくとも１つの指状部のヒートセット可能な不織内層上に樹脂層を配置することを含んでもよい。
【００１９】
本発明の別の局面に従えば、当該方法はさらに、少なくとも１つの指状部の不織層を反射外層と材料の内側硬化層との間に挟むことを含んでもよい。
【００２０】
本発明の別の局面に従えば、当該方法はさらに、少なくとも１つの指状部として略同一の形状を有する材料の内側硬化層を形成することを含んでもよい。
【００２１】
本発明の別の局面に従えば、当該方法はさらに、材料の内側硬化層をプラスチックから形成することを含んでもよい。
【００２２】
これらのおよび他の構成および本発明の利点は、現在好ましい実施形態およびベストモードの以下の詳細な説明、添付されたクレームならびに添付の図面の記載と結び付けて考慮したとき、より容易に理解されるであろう。
【図面の簡単な説明】
【００２３】
【図１Ａ】電気部品を保護するための本発明の１つの局面に従って構成されるアセンブリの模式的な側面図である。
【図１Ｂ】電器部品を保護するための本発明の別の局面に従って構成されるアセンブリの模式的な側面図である。
【図２Ａ】部分的に構築された状態で示された図１Ａ〜１Ｂの本発明の１つの局面に従う熱スリーブの模式的な等角図である。
【図２Ｂ】部分的に構築された状態で示された図１Ａ〜１Ｂの本発明の別の局面に従う熱スリーブの模式的な等角図である。
【図２Ｃ】部分的に構築された状態で示された図１Ａ〜１Ｂの本発明の別の局面に従う熱スリーブの模式的な等角図である。
【図２Ｄ】図１Ａ〜図１Ｂの本発明の別の局面に従う熱スリーブの部分断面端面図である。
【図３】図１Ａの矢印２に概ね沿って示すアセンブリの等角図である。
【図３Ａ】図３の熱スリーブおよび細長い部材の部分断面側面図であって、熱スリーブと細長い部材との間で相関的に摺動運動する間、軸方向に傾くときの指状部を影で示す図である。
【図４】完成された状態で示される図２Ａの熱スリーブの等角端面図である。
【図５Ａ】図４の熱スリーブの反対側の端部の等角図である。
【図５Ｂ】完成された状態で示される図２Ｂの熱スリーブの図５Ａに類似する図である。
【図５Ｃ】完成された状態で示される図２Ｃの熱スリーブの図５Ａに類似する図である。
【図６】本発明のさらに別の局面に従って構成される熱スリーブの断面図である。
【図７】図６の熱スリーブの支持部材の平面図である。
【発明を実施するための形態】
【００２４】
好ましい実施形態の詳細な説明
図面をより詳細に参照すると、図１Ａ〜１Ｂはそれぞれ、本発明の１つの局面に従って構築される、本明細書で単にスリーブ１２と呼ばれる、一体的配置部材を含む熱保護スリーブを含む、アセンブリ１０を示す。スリーブ１２は、少なくとも部分的に、極度の放射熱、摩耗、汚染および振動の影響に対して、センサなどの少なくともその中に収容される電気部品１４を保護するために用いられる。センサ１４は、自動車のエンジン部品１８上のワイヤハーネスの端部と接続されるように示される。ワイヤハーネス１６は、露出され絶縁されたワイヤの束として、または管２０（図１Ａ），２０’（図１Ｂ）とも呼ばれる外側保護スリーブ内に囲まれる絶縁されたワイヤの束として設けられ得る。管２０，２０’は波状または廻旋状の外面２２（図１Ａ）、または概ね滑らかな外面２２’（図１Ｂ）を有してもよいが、これは例示であって限定ではない。スリーブ１２は、ワイヤハーネス１６および管２０，２０’の長手方向軸２４に沿った摺動運動のために構成され、それが設けられるとスリーブ１２をセンサ１４の周りのその所望の保護位置へ配置する。スリーブ１２はさらに、センサを機能させるために望ましいであろうその保護位置から離れるようにスリーブ１２を選択的に摺動させることが望ましいとされるまで、保護位置に固定されたままとなるように、以下でさらに詳細に説明されるように、スリーブ１２を有する材料の一片として作成される一体的配置部材を介して形成される。スリーブ１２は、その保護位置において、使用中、配置部材のそのワイヤ１６または管２０，２０’との摩擦係合を介して、テープまたは接着剤などの二次的な固定具の必要なく維持されるため、アセンブリ１０は簡単に製造され費用効果を有する。
【００２５】
スリーブ１２は任意の所望の長さを有して構成されてもよい。スリーブ１２は、図２Ａ〜２Ｃの部分的に構築された実施形態、および図５Ａ〜５Ｃのそれぞれ完成された実施形態に示されるように、不織内層２６と反射外層２８とを有する。本発明の１つの局面に従う内層２６は、熱形成可能な不織材料から構築され、意図された環境における特質および熱曝露の厳しさに応じて、任意の所望の壁厚（ｔ）を有して構築されてもよい。内層２６を形成する不織材料は、モノフィラメントおよび／または複合繊維のいずれかを含むヒートセット可能な低融点繊維などの、ヒートセット可能な繊維を含んで形成される。低融点繊維は、標準的な熱プラスチック繊維および／または繊維ガラスおよび／または麻、ジュート、ケフレックス（Keflex）などの天然繊維と混合されてもよい。低融点繊維は、ヒートセットプロセスにおいて熱処理されるとき、残りの繊維よりも低い温度で少なくとも部分的に融解し、その後低融点繊維は固化されヒートセットされた構成を呈することにより、内層２６および外層２８をヒートセットされた形状にしヒートセットされた形状を保持するように付勢する。複合繊維が低融点繊維として提供された場合、それらは、たとえばポリプロプレン、ポリエチレン、または低融点ポリエステルの外側シースを伴う、たとえばポリエチレンテレフタレート（ＰＥＴ）などの標準的な熱プラスチック材料の芯材を有して提供されてもよい。標準的な熱プラスチック繊維は、たとえばナイロンまたはＰＥＴなどの任意の熱プラスチック繊維として提供されてもよく、所望のとおりに、部分的に所望の密度および厚さ（ｔ）を内層２６に提供するように作用することにより、スリーブ１２に追加的な熱保護および剛性を提供し、一方でヒートセット可能なファイバと比べて比較的安価でもある。さらに、用途に応じて所望の物理的性質を獲得するために、内層２６は、機械的に絡み合わされた、または別の方法では接着された、不織の標準的な熱プラスチック繊維および低融点繊維の好適な厚さ（ｔ）および密度を有し、一方所望の形状にヒートセットもされて構築される。
【００２６】
外層２８は、排気システムによって生成される温度など、エンジン区画の極度の放射熱を反射するために設けられる。外層２８は、アルミニウムまたは他の所望の金属の箔層など、任意の好適な金属材料で形成され得る。箔外層２８は、比較的薄く、これによりスリーブ１２が曲がりくねった経路および角部にわたって可撓性を維持することを可能とする。箔外層２８は、内層２６の外面２７の周りに配置され、所望のとおり、不織内層２６の周りに螺旋巻きまたはタバコ巻きされ得る。所望であれば、外層２８を内層２６に接着することを容易にするために、任意の好適な耐熱性の接着剤が用いられる。
【００２７】
スリーブ１２を構築する１つの現在好ましい方法に従えば、不織内層２６は、螺旋巻されることによるなど、周方向に連続的な管状壁として形成され、対向する縁部は互いに直に当接する関係になるように持ち込まれ得ることにより、衝合継手を形成して（図２Ｄ）、両開口端部３０，３２間に延在する滑らかな円筒形状の外面２７および内面２９を形成する。その後、箔外層２８が螺旋またはタバコの態様で巻かれ得る。箔層２８は互いに重なる関係になるように持ち込まれる対向する縁部３３，３５を有してもよく、内層２６の外面２７に機械的に固定されてもよく、または接着されてもよい。その後、配置部材、端部突出部、または配置および保持機構ともよばれる一体の指状部３４が形成されてもよい。１つの実施形態では、指状部３４は、切断動作において形成され得、その後内層２６および外層２８のいくつかが任意の好適な切断プロセスを介して切られて、隣接する指状部３４間に切り込みまたは空間３６を形成する。例示であって限定ではなく、空間３６は、図２Ａにおいて概ねＶ字型であるものとして示されるが、任意の所望の形状が形成されてもよく、これにより次の折畳み動作を容易にする。指状部３４は、径方向内側に折り畳まれて概ね互いに向かい、続いてヒートセットされる（図３、４、５Ａ）。たとえば、別の実施形態に示されるように、隣接する指状部３４間に形成されるＶ字型の刻み目を有するよりもむしろ、切り込み３６は直線状または実質的に直線状の切り込みとして形成されてもよく（図２Ｂ）、これにより概ね矩形の指状部３４を形成し、その後指状部３４は径方向内側に折り畳まれ、続いてヒートセットされる（図５Ｂ）。この実施形態では、個々の指状部３４は、それらの軸方向に延在する縁部に沿って互いに重なり、センサ１４に対する保護を高めるようにさらに作用し得ることが理解されるであろう。さらに、切り込みを形成して、または別の方法ではスリーブ壁を切って個々の指状部を形成するよりもむしろ、スリーブ壁の端部領域の所望の切られていない長さ（Ｌ；図２Ｃ）が、まず切ることまたは切り込むことなく、径方向内側に折り畳まれてもよく、その後、切り込みを有しない結果として蛇腹状に折り畳まれた重なり領域を有して（図５Ｃ）、単一の周方向に延在する指状部３４が形成されてもよい。折り畳み動作は、マンドレル上に管状壁をまず配置し、その後、マンドレルの端部にわたって、所望の構成に応じて、複数の指状部材３４または単一の指状部材３４を折り畳んで内層２６をマンドレルの概ね平坦な端部に当接させることによって行なわれる。その後、折り畳まれた位置における複数または単一の指状部３４によって、十分な熱が内層２６に加えられて少なくとも複数または単一の指状部３４を含む領域内で内層をヒートセットさせる。熱は、ヒートセット可能なマンドレルを介しておよび／または外部の熱源を介して加えられてもよい。さらに、複数または単一の指状部３４は、熱形成されて「折り畳まれたままの」位置に維持される、または実質的に維持されることにより、スリーブ１２に、一端３０から複数または単一の指状部３４が径方向内側に曲げられる新たに形成されるスリーブ１２の円筒形状部の端部３２’の位置まで延在する残りの円筒形状部を提供する。本発明の別の局面に従えば、図５Ａ〜５Ｃに示されるように、樹脂材料ＲＭは、内層２６に、少なくとも指状部３４を形成する内層２６の領域上に、または所望であれば内層２６の全体に塗布されて、保持部材として最適に機能するために望ましい所望の硬度、剛性、弾性力、および保存および可撓性を有する指状部３４の材料を提供することを容易にする。さらには、図６および７に示されるように、指状部３４の自由端部によって形成される開口部４２に類似する大きさおよび形状の開口部４０を有する、略円形状のディスク３８などの、所望の厚さ、弾性力および可撓性の、例示であって限定ではないがプラスチック材料などの材料の強化層の形態の別個の支持部材が、指状部３４の内層２６と当接してスリーブ１２の内部に接着され得る。円形状のディスク３８は、設けられた場合、示されるように、そこに形成される切り込み４６を有し得、切り込み４６は切り込みまたは空間３６と軸方向および径方向に位置合わせされた関係で表れるように配置されて、ワイヤハーネス１６に沿ったスリーブ１２の組立および除去の間、指状部３４が軸２４に沿って軸方向内側および軸方向外側から弾性的に可撓性を維持することを可能にすると考えられる。言うまでもなく、所望のとおり、切り込み４６は、指状部３４間に形成される切り込み３６と同様の形状を呈するように形成され得ることが認識されるべきである。
【００２８】
ヒートセット動作を完了すると、スリーブ１２はマンドレルから取り除かれ得る。一片のスリーブ１２が、指状部３４をスリーブ１２に接合するための二次的な固定具の必要なく、開放領域３０から指状部３４が径方向内側に折り畳まれる端部位置３２’まで延在する円筒形状部を有して、二次的な動作でそこに他の部品を固定する必要なく設けられる。
【００２９】
使用中には、スリーブ１２は、そのワイヤハーネス１６または管２０にわたって容易に摺動され得、その後、指状部３４の端部４４はワイヤハーネス１６または管２０に対して係合し軸方向に屈曲する。複数または単一の指状部端部４４とワイヤハーネス１６または管２０との間の摩擦および干渉の規定量は、構造上複数または単一の指状部端部４４によって画定される開口部４２を寸法決めすることによって提供され得る。図３Ａに一般的に示されるように、指状部３４が可撓性および弾性を有するために、指状部３４は、ワイヤハーネス１６または管２０との摩擦または干渉を介してわずかに軸方向に容易に付勢して、使用時に要求され得る場合など、設置時にはスリーブ端部３０から軸方向に離れて、除去時にはスリーブ端部３０に軸方向に向かって屈曲する。管２０が波状の管として設けられた場合（図１Ａ）、指状部３４は、設置および除去の間には環状の波の山部Ｃ上に軸方向に屈曲するように付勢され、波形の環状の谷部Ｖ内に受けられるように規定の厚さを呈するように構築されてスリーブ１２をセンサ１４の周りのその意図された「使用時」の位置に維持することを容易にする。
【００３０】
図５Ｃでは、本発明の他の局面に従って構築されるスリーブ１１２が示され、１００の係数だけずらされた同様の参照符号が類似の構成を特定するために用いられる。スリーブ１１２は、スリーブ１２のために上記で説明された同様の材料で構築される、内層１２６と外層１２８とを有する。スリーブ１２と対比して、単一の指状部１３４は軸方向内側に折り畳まれるが、指状部１３４の自由端部１４４は、折り畳まれたときにワイヤ１６または管２０の収容のための開口部を形成するよりもむしろ、環状のパンチまたは任意の所望の外周形状のパンチを介するダイカッティングなどのその後の切断動作を介して形成されてもよい。このように、開口部１４２は精密に寸法決めおよび形状決めされた構造を有して形成され、円形であれ別の構成であれ、これにより精密な量の指状部１３４の自由端部１４４間の干渉をもたらす。このようにして、単一の周方向に連続的な指状部１３４は径方向内側に折り畳まれ得、その後開口部１４２が切り取られ得ることが認識されるべきである。言うまでもなく、複数の指状部１３４が形成され径方向内側に折り畳まれた場合、中央開口部を形成するためのこの同様の機構が用いられてもよい。単一の指状部１３４が形成された場合、指状部１３４は指状部１３４の材料によって形成される複数の重なる折り畳まれた領域５０を有する。さらに、単一の指状部１３４または複数の指状部１３４を径方向内側に折り畳む際に、個々の指状部１３４の完成形状は、開口部１４２を形成するときに用いられる切断動作に加えて、切断動作においてその後形成されてもよいことが考えられる。
【００３１】
明らかに、上記の教示に照らせば、本発明の多くの改良および変形が可能である。したがって、添付の請求項の範囲内で本発明は特定的に説明された以外の方法で実施されてもよいことが理解されるべきである。
【図１Ａ】
2018523455.tif 000003
【図１Ｂ】
2018523455.tif 000004
【図２Ａ】
2018523455.tif 000005
【図２Ｂ】
2018523455.tif 000006
【図２Ｃ】
2018523455.tif 000007
【図２Ｄ】
2018523455.tif 000008
【図３】
2018523455.tif 000009
【図３Ａ】
2018523455.tif 000010
【図４】
2018523455.tif 000011
【図５Ａ】
2018523455.tif 000012
【図５Ｂ】
2018523455.tif 000013
【図５Ｃ】
2018523455.tif 000014
【図６】
2018523455.tif 000015
【図７】
2018523455.tif 000016
【国際調査報告】
2018523455.tif 000017
2018523455.tif 000018